(57)【要約】【課題】  袋内の内容物をスムースに確実に取り出すことができるようにする。【解決手段】  開口部と底部と収容部を備え、収容部が開口部から底部まで略逆三角形であり、底部が下向きに尖鋭な三角形の収容袋である。収容部の略上半分を開口部と略同じ横幅にし、収容部の略下半分から底部までを逆三角形にし、底部を下向きに尖鋭な三角にすることができる。収容部が開口部から底部までを逆三角形にし、底部を円弧状にすることもできる。底部と収容部の双方又はいずれか一方の外側に把持部を設けることもできる。収容部が開口部から底部までを逆三角形にし、底部を下向きに尖鋭な三角形にし、開口部の外側から底部の下方まで上向き三角形の把持部を設けることもできる。収容部の略上半分の横幅を略均一幅にし、収容部の略下半分を略逆三角形とし、収容部の略下半分の外側に把持部を設けることもできる。【選択図】図１
2014201356.tif 000002
【特許請求の範囲】
【請求項１】
物品を出し入れ可能な収容袋において、
開口部と底部と収容部を備え、
収容部が開口部から底部まで略逆三角形であり、底部が下向きに尖鋭な略三角形である、
ことを特徴とする収容袋。
【請求項２】
請求項１記載の収容袋において、
収容部の略上半分が開口部と略同じ横幅であり、収容部の略下半分から底部までが略逆三角形であり、底部が下向きに尖鋭な略三角状である、
ことを特徴とする収容袋。
【請求項３】
請求項１記載の収容袋において、
収容部が開口部から底部まで略逆三角形であり、
底部が円弧状である、
ことを特徴とする収容袋。
【請求項４】
請求項１から請求項３のいずれか１項に記載の収容袋において、
底部と収容部の双方又はいずれか一方の外側に把持部を備えた、
ことを特徴とする収容袋。
【請求項５】
請求項１から請求項３のいずれか１項に記載の収容袋において、
収容部が開口部から底部まで略逆三角形であり、
底部が下向きに尖鋭な略三角形であり、
開口部の外側から底部の下方まで、上向きに略三角形である把持部を備えた、
ことを特徴とする収容袋。
【請求項６】
請求項１から請求項３のいずれか１項に記載の収容袋において、
収容部の略上半分の横幅が略均一幅であり、
収容部の略下半分が略逆三角形であり、
収容部の略下半分の外側に把持部を備えた
ことを特徴とする収容袋。
【発明の詳細な説明】
【技術分野】
【０００１】
本発明は、粉末、ゲル状、粘り気のある物等々の各種性状（形態）の物品、食品、医薬品といった各種分野の物品を収容可能な収容袋に関する。
【背景技術】
【０００２】
例えば、粉末状の物品を収容する袋として、粉ミルクを収容して携帯可能な粉ミルク用袋が知られている（特許文献１〜３）。
【先行技術文献】
【特許文献】
【０００３】
【特許文献１】登録実用新案公報３０５６９９２号公報
【特許文献２】特開平１０−３１０１５０号公報
【特許文献３】特開平１０−２１１９８５号公報
【発明の概要】
【発明が解決しようとする課題】
【０００４】
特許文献１記載の粉ミルク用袋は、底部が四角形状であるため、開口部から粉ミルクを取り出す際に、底部の角部分に粉ミルクが詰まり、粉ミルクすべてを取るのに手間がかかることがある。
【０００５】
特許文献２及び３記載の粉ミルク用袋は、底部を漏斗状にし、その漏斗状の底部の一部を切り取り可能として、粉ミルクを底部側から取り出せるようにしてあるため、特許文献１のような手間はないが、取り出し口が狭いため、粉ミルクの排出に時間がかかる。また、底部の切取り時に粉ミルクがこぼれるような面倒や、切取り片を廃棄処分しなければならないといった面倒がある。
【０００６】
本発明の目的は、袋内の内容物をスムース且つ迅速に出すことができ、更には、袋の隅に残ることなく物品を取出し可能な収容袋を提供することにある。
【課題を解決するための手段】
【０００７】
本発明の収容袋は、物品を出し入れ可能な収容袋において、開口部と底部と収容部を備え、収容部が開口部から底部まで略逆三角形であり、底部を下向きに尖鋭な略三角形としたものである。収容部の略上半分を開口部と略同じ横幅であり、収容部の略下半分から底部までを略逆三角形とし、底部が下向きに尖鋭な略三角状にすることもできる。収容部の側面が開口部から底部まで略逆三角形であり、底部が円弧状のものである。底部と収容部の双方又はいずれか一方の外側に把持部を設けることもできる。収容部が開口部から底部まで略逆三角形であり、底部が下向きに尖鋭な略三角形であり、開口部の外側から底部の下方まで上向きに略三角形の把持部を備えたものとすることもできる。収容部の略上半分の横幅が略均一幅であり、収容部の略下半分が略逆三角形であり、収容部の略下半分の外側に把持部を備えたものとすることもできる。
【発明の効果】
【０００８】
本発明の収容袋は、底部が下向きに先細りであるため、収容袋を上下逆さまにすると、収容袋内の内容物がスムース且つ迅速に排出される。しかも、内容物が収容袋内の隅に残ることもない。
【図面の簡単な説明】
【０００９】
【図１】（ａ）〜（ｇ）は本発明の収容袋の各種例を示す説明図。
【発明を実施するための形態】
【００１０】
（実施形態）
本発明の収容袋１の実施形態について、図面を参照して説明する。本発明の収容袋１は、粉薬、砂糖、塩、ミルク等の各種粉末、ヨーグルトのようなゲル状物、納豆や刻み昆布のように粘性のある食品、といった各種性状（形態）の物品を収容できる包装袋（収容袋）である。その材質は樹脂フィルム（シートを含む）製、紙製といった各種材質製とすることができる。
【００１１】
一例として図１（ａ）（ｂ）に示す収容袋１は、開口部２と底部３と、収容部４を備え、収容部４の側面５を開口部２から底部３まで逆三角形にして、底部３を下向きに尖鋭な三角形にしたものである。前記側面５及び底部３は密封されている。底部３の角度は任意に設計することができるが、図示した例では３０度程度としてある。
【００１２】
図１（ｃ）に示す収容袋１は、収容部４の略上半分を開口部２と同じ横幅にし、収容部４の略下半分から底部３までを逆三角形にして、底部３を下向きに尖鋭な三角状にしたものである。この場合も、側面５及び底部３は密封されている。
【００１３】
図１（ｄ）に示す収容袋１は、収容部４を開口部２から底部３まで逆三角形にし、底部３を円弧状にし、底部３の下に把持部６を設けたものである。側面５、底部３は密封されている。把持部６は手や把持器具で把持できる広さがあればよく、その形状、広さ等は任意に設計することができる。
【００１４】
図１（ｅ）に示す収容袋１は、収容部４を開口部２から底部３まで逆三角形にして、底部３を下向きに尖鋭な三角形にし、開口部２の外側から底部３の下方までに上向き三角形の把持部６を設けたものである。この場合も側面５及び底部３は密封されている。
【００１５】
図１（ｆ）に示す収容袋１は、収容部４の略上半分の横幅を均一幅にし、収容部４の略下半分を逆三角形にして、略下半分の外側に把持部６を設けたものである。この場合も、側面５及び底部３は密封されている
【００１６】
本発明の収容袋１は、例えば、ポリエチレン、ポリプロピレン、ポリエステル、ナイロン等のプラスチック材料製、紙製等とすることができるが、これ以外の材質製とすることもできる。
【００１７】
本発明の収容袋１は、図１（ｇ）に示すように、開口部２に開閉可能な封止手段７、例えば、ジッパーや面状テープ等を設けることもできる。
【００１８】
一例として図示した収容袋１は、二枚の樹脂フィルムを重ねた扁平状であるが、本発明の収容袋１は立体状であってもよい。この場合は、開口部２から底部３までは角錐状或いは円錐状にして、扁平に折り畳み可能とすることもできる。
【００１９】
（使用例）
本発明の収容袋１の使用例について説明する。ここでは、収容袋１に粉末を収容し、粉末を開ける（取り出す）場合を一例として説明する。
（１）収容袋１の開口部２を開口し、その開口部２から収容部４内に粉末を入れる（収容する）。
（２）収容後は、開口部２を密封する。この場合、収容袋１に封止手段７が設けられているときは、当該封止手段７を使って密封し、封止手段７がない場合は開口部２を紐、テープ、輪ゴム等々の封止用具で閉める。
（３）収容袋１から粉末（内容物）を取り出す（あける）場合は、封止手段７をあけて、或いは、他の封止具を外して開口部２を開く。
（４）前記（３）の開口状態で、開口部２を下にし、底部３を上にして（収容袋１を逆さにして）、内容物を自重で開口部２から落下させる。この場合、把持部６を手でつまむこともできる。
【００２０】
前記説明では、三角形、逆三角形、均一横幅と記載してあるが、それらはいずれも略三角形、略逆三角形、略均一横幅を含む。
【産業上の利用可能性】
【００２１】
前記説明は、収容袋１が小さく、手で持って内容物を出し入れできる場合について説明してあるが、本発明の収容袋１は、サイズの大きな業務用とか工業用等であってもよく、その場合は、収容袋１を機械、例えば、クレーンで吊下げ、開口部３を開口して収容部４内に物品を詰めるとか、クレーンで把持部６を把持して逆さに吊下げて、開口部２をあけて、収容部４内の物品をあける等することもできる。業務用、工業用の場合は、収容袋１の材質も、布製、皮革製といった強靭な材質製とすることもできる。
【符号の説明】
【００２２】
１  収容袋
２  開口部
３  底部
４  収容部（収容空間）
５  側面
６  把持部
７  封止手段
【図１】
2014201356.tif 000003